(57)【要約】【課題】ユーザにとって見やすく表示画面を設定できる画面表示制御を行う。【解決手段】画面表示に関する設定情報に基づいて表示処理を行うディスプレイ１１５を有する通信端末１において、ユーザの目の疲労度を測定する疲労度測定部１３と、疲労度測定部１３により測定された疲労度に基づき表示画面の表示レベルを判定する表示レベル判定部１４と、表示レベル判定部１４により判定された表示レベルに応じて設定情報を更新する表示制御部１５と、を備えることを特徴とする。【選択図】図１
2010237392.tif 000002
【特許請求の範囲】
【請求項１】
画面表示に関する設定情報に基づいて表示処理を行うディスプレイを有する通信端末において、
ユーザの目の疲労度を測定する疲労度測定手段と、
前記疲労度測定手段により測定された疲労度に基づき表示画面の表示レベルを判定する表示レベル判定手段と、
前記表示レベル判定手段により判定された表示レベルに応じて前記設定情報を更新する表示制御手段と、
を備えることを特徴とする通信端末。
【請求項２】
前記疲労度測定手段により測定される目の疲労度は、ユーザの目の瞬き回数であることを特徴とする請求項１に記載の通信端末。
【請求項３】
前記表示画面の設定情報には、フォントサイズ、フォント太さ、背景コントラスト、及び輝度の少なくとも１つが含まれることを特徴とする、請求項１又は２に記載の通信端末。
【請求項４】
画面表示に関する設定情報に基づいて表示処理を行うディスプレイを有する通信端末において実行される画面表示制御方法であって、
ユーザの目の疲労度を測定する疲労度測定ステップと、
前記疲労度測定ステップにおいて測定された疲労度に基づき表示画面の表示レベルを判定する表示レベル判定ステップと、
前記表示レベル判定ステップにおいて判定される表示レベルに応じて前記設定情報を更新する表示制御ステップと、
を備えることを特徴とする画面表示制御方法。 
【発明の詳細な説明】
【技術分野】
【０００１】
本発明は、通信端末及び画面表示制御方法に関する。
【背景技術】
【０００２】
携帯電話などの通信端末において、ディスプレイ上に表示される情報の見やすさを向上させるため、例えば特許文献１には、調光センサで測定された周囲の明るさに応じて表示情報のサイズやバックライトの輝度を変更するディスプレイの表示制御について記載されている。また、従来の通信端末では、ユーザが表示画面の文字サイズを逐次設定変更することも可能である。
【先行技術文献】
【特許文献】
【０００３】
【特許文献１】特表２００７−５３５６９５号公報
【発明の概要】
【発明が解決しようとする課題】
【０００４】
このような従来の通信端末のディスプレイの表示制御は、ユーザの主観や周囲の環境に基づくものであるため、ユーザの内部状態の変動などによっては、必ずしもユーザにとって見やすい表示設定とはならない場合がある。
【０００５】
本発明は、上記課題を解決するためになされたものであり、ユーザにとって見やすい表示画面を設定できる画面表示制御を行うことが可能な通信端末及び画面表示制御方法を提供することを目的とする。
【課題を解決するための手段】
【０００６】
上記課題を解決するため、本発明に係る通信端末は、画面表示に関する設定情報に基づいて表示処理を行うディスプレイを有する通信端末において、ユーザの目の疲労度を測定する疲労度測定手段と、疲労度測定手段により測定された疲労度に基づき表示画面の表示レベルを判定する表示レベル判定手段と、表示レベル判定手段により判定される表示レベルに応じて設定情報を更新する表示制御手段と、を備えることを特徴とする。
【０００７】
同様に、上記課題を解決するため、本発明に係る画面表示制御方法は、画面表示に関する設定情報に基づいて表示処理を行うディスプレイを有する通信端末において実行される画面表示制御方法であって、ユーザの目の疲労度を測定する疲労度測定ステップと、疲労度測定ステップにおいて測定された疲労度に基づき表示画面の表示レベルを判定する表示レベル判定ステップと、表示レベル判定ステップにおいて判定される表示レベルに応じて設定情報を更新する表示制御ステップと、を備えることを特徴とする。
【０００８】
このような通信端末及び画面表示制御方法によれば、ユーザの目の疲労度に基づき判定される表示レベルに応じた設定情報が更新され、この更新された設定情報を用いて当該通信端末のディスプレイの表示画面が更新されるため、目の疲労というユーザの内部状態の変動に対応して適切に表示画面を変更すること可能となり、この結果、ユーザにとって見やすい表示画面を設定できる画面表示制御を行うことが可能となる。
【０００９】
また、本発明の通信端末において、疲労度測定手段により測定される目の疲労度は、ユーザの目の瞬き回数であることが好適である。目の瞬き回数と疲労度との間には相関関係があるため、この構成により目の疲労度を精度良く推定することができる。
【００１０】
また、本発明の通信端末において、表示画面の設定情報には、フォントサイズ、フォント太さ、背景コントラスト、及び輝度の少なくとも１つが含まれるのが好適である。これにより、目の疲労度に応じた表示画面の構成変更の自由度を向上させることができ、より一層ユーザにとって見やすい表示画面を提供することができる。
【発明の効果】
【００１１】
本発明に係る通信端末及び画面表示制御方法によれば、ユーザにとって見やすく表示画面を設定できる画面表示制御を行うことが可能となる。
【図面の簡単な説明】
【００１２】
【図１】本発明の一実施形態に係る通信端末の機能ブロック図である。
【図２】通信端末のハードウェア構成図である。
【図３】設定情報データベースの一例を示す図である。
【図４】本実施形態の通信端末において実行される処理を示すフローチャートである。
【発明を実施するための形態】
【００１３】
以下、図面を参照しながら本発明の実施形態を詳細に説明する。なお、図面の説明において同一又は同等の要素には同一の符号を付し、重複する説明を省略する。
【００１４】
図１は、本発明の一実施形態に係る通信端末１の機能ブロック図である。図１に示すように、通信端末１は、例えば携帯電話や携帯情報端末（Personal Digital Assistant：ＰＤＡ）などであり、操作検知部１１、顔検出部１２、疲労度測定部（疲労度測定手段）１３、表示レベル判定部（表示レベル判定手段）１４、表示制御部（表示制御手段）１５、設定情報データベース１６を備えている。
【００１５】
図２は、通信端末１のハードウェア構成図である。通信端末１は、物理的には、ＣＰＵ（Central Processing Unit）１１１、主記憶装置であるＲＡＭ（Random Access Memory）１１２及びＲＯＭ（Read Only Memory）１１３、入力デバイスである入力キー等の操作部１１４、ディスプレイ１１５、無線通信部１１６などを有する端末装置として構成されている。図１に示す通信端末１の各機能は、図２に示すＣＰＵ１１１、ＲＡＭ１１２等のハードウェア上に所定のコンピュータソフトウェアを読み込ませることにより、ＣＰＵ１１１の制御のもとで操作部１１４、ディスプレイ１１５、無線通信部１１６を動作させるとともに、ＲＡＭ１１２やＲＯＭ１１３におけるデータの読み出し及び書き込みを行うことで実現される。
【００１６】
また、本実施形態では、通信端末１は、サブカメラ１１７をさらに備える。サブカメラ１１７は、ユーザがディスプレイ１１５を見ている状態のときに、ユーザの顔を撮像することができるように通信端末１上に配置されている。
【００１７】
次に、図１に示す通信端末１の各機能について説明する。
【００１８】
操作検知部１１は、ユーザの端末操作を検知する部分である。具体的には、直前の所定時間内でユーザが通信端末１のキーを押下したことを検知した場合に、ユーザが端末操作を行っていると判断してその旨の情報を顔検出部１２に送信する。また、操作検知部１１は、後述する表示制御部１５によるディスプレイ１１５の表示制御処理が行われている間には、直前の所定時間内にキー押下を検知しない場合にはユーザが端末操作を行っていないと判断し、さらに、折畳み式の通信端末の場合には、通信端末１が折畳まれ閉じられたことを検出すると、端末操作が終了したと判断して、その旨を表示制御部１５に送信する。
【００１９】
顔検出部１２は、操作検知部１１からのユーザの端末操作を検知したという情報を受信するのに応じて、サブカメラ１１７の撮像画像から顔を検出する部分である。撮像画像からの顔検出については周知の画像処理手法を用いることができる。顔検出部１２は、サブカメラ１１７の撮像画像から顔を検出した場合には、疲労度測定部１３にその旨の情報を送信する。
【００２０】
疲労度測定部１３は、ユーザの目の疲労度を測定する部分である。具体的には、疲労度測定部１３は、サブカメラ１１７の撮像画像から、１分間当たりのユーザの目の瞬き回数を計測する。計測された瞬き回数は表示レベル判定部１４に送信される。
【００２１】
表示レベル判定部１４は、疲労度測定部１３により測定された疲労度（目の瞬き回数）に基づきディスプレイ１１５の表示画面の表示レベルを判定する。具体的には、疲労度に応じた３段階の表示レベル０，１，２を設定する。表示レベルが高くなるほど目の疲労度も増大する。ここでは、１分当たりの瞬き回数が３０回以下の場合、目は疲れていないものと判断し、レベル０と判定する。また、１分当たりの瞬き回数が３０回より大きく４０回以下の場合、目が疲れているものと判断し、レベル１と判定する。また、１分当たりの瞬き回数が４０回より大きい場合、目の疲労度が大きいものと判断し、レベル２と判定する。なお、この判定基準は、１分間当たりの瞬きの適正回数が２０回であるという知見に基づくものである。
【００２２】
表示制御部１５は、表示レベル判定部１４により判定される表示レベルに応じて設定情報を更新する。具体的には、表示レベルと、この表示レベルごとに個別に設定される表示画面に関する設定情報とを関連付けて保持している設定情報データベース１６から、表示レベルに応じた設定情報（フォントサイズ、フォント太さ、背景色コントラスト、輝度）を取得し、この設定情報に基づき表示画面の制御を行う。
【００２３】
設定情報データベース１６は、例えば図３に示すように「表示レベル」と「設定内容」とを１つのレコードとして保持している。本実施形態では、図３に示すように、レベル０の場合には現在の設定のまま変更しないよう設定情報が登録されている。レベル１の場合にはフォントサイズを現在のものより１ランク大きくし、フォントの太さを現在のものより１ランク太くし、背景色のコントラストを現在のものより１０％減らし、輝度を現在のものより１ランク大きくするよう設定情報が登録されている。また、レベル２の場合には、フォントサイズを現在のものより２ランク大きくし、フォントの太さを現在のものより２ランク太くし、背景色のコントラストを現在のものより２０％減らし、輝度を現在のものより２ランク大きくするよう設定情報が登録されている。
【００２４】
なお、設定情報データベース１６の設定内容は、通信端末１のユーザにより適宜変更可能である。変更可能な設定項目としては、本実施形態では図３に示すように、（１）フォントサイズ、（２）フォント太さ、（３）背景色コントラスト、（４）液晶の輝度を例示したが、これに限定されるものではない。
【００２５】
また、表示制御部１５は、表示画面の設定を変更した後に所定時間経過したときに、操作検知部１１及び顔検出部１２と連携して、ユーザの端末操作が継続しているか否かを判定する。継続している場合には、疲労度測定部１３による疲労度測定、表示レベル判定部１４による表示レベル判定を再度行い、現在の表示レベルに応じた表示制御を行う。ユーザの端末操作が継続していない場合には、現在の表示画面の設定情報をリセットし、もとの状態に戻して表示制御を終了する。
【００２６】
次に、図４に示すフローチャートを用いて、本実施形態の通信端末１において実行される処理を説明すると共に、本実施形態に係る画面表示制御方法について説明する。図４は、本実施形態の通信端末１において実行される処理を示すフローチャートである。
【００２７】
まず、操作検知部１１により、ユーザが通信端末１のキーを押下したことが確認されると（Ｓ１０１）、顔検出部１２により、サブカメラ１１７の撮像画像の解析が行われ、撮像画像からユーザの顔が検出されるか否かが確認される（Ｓ１０２）。撮像画像からの顔検出については周知の画像処理手法が用いられる。サブカメラ１１７の撮像画像から顔が検出された場合には、疲労度測定部１３にその旨の情報が送信され、ステップＳ１０３に移行する。顔が検出されない場合には、ステップＳ１０１に戻り、再度端末操作検知処理が行われる。
【００２８】
次に、疲労度測定部１３により、顔検出部１２からサブカメラ１１７の撮像画像からユーザの顔が検出されたことを示す情報の受信に応じて、サブカメラ１１７の撮像画像から、１分間当たりのユーザの目の瞬き回数が、ユーザの目の疲労度として計測される（Ｓ１０３：疲労度測定ステップ）。計測された瞬き回数は表示レベル判定部１４に送信される。
【００２９】
次に、表示レベル判定部１４により、疲労度測定部１３で測定された疲労度（目の瞬き回数）に基づきディスプレイ１１５の表示画面の表示レベルが判定される（Ｓ１０４：表示レベル判定ステップ）。本実施形態では、３０回以下の場合、レベル０と判定されステップＳ１０５へ移行し、１分当たりの瞬き回数が３０回より大きく４０回以下の場合、レベル１と判定されステップＳ１０６へ移行し、１分当たりの瞬き回数が４０回より大きい場合、レベル２と判定されステップＳ１０７へ移行する。
【００３０】
次に、表示制御部１５により、設定情報データベース１６から表示レベルに応じた設定情報（フォントサイズ、フォント太さ、背景色コントラスト、輝度）が取得され、ディスプレイ１１５の表示画面が更新される（Ｓ１０５〜Ｓ１０７：表示制御ステップ）。具体的には、ステップＳ１０５（レベル０）においては、現在の設定情報のまま表示画面が変更されない。ステップＳ１０６（レベル１）においては、フォントサイズを現在のものより１ランク大きく、フォントの太さを現在のものより１ランク太く、背景色のコントラストを現在のものより１０％減らし、輝度を現在のものより１ランク大きくするよう、表示画面が変更される。ステップＳ１０７（レベル２）においては、フォントサイズを現在のものより２ランク大きくし、フォントの太さを現在のものより２ランク太くし、背景色のコントラストを現在のものより２０％減らし、輝度を現在のものより２ランク大きくするよう、表示画面が変更される。
【００３１】
続いて、表示制御部１５により、表示画面の設定を変更した後に所定時間経過するまで待機し（Ｓ１０８）、その後に、表示制御部１５から送信される制御指令に応じて、顔検出部１２により、サブカメラ１１７の撮像画像からユーザの顔が検出されるか否かが再度確認される（Ｓ１０９）。サブカメラ１１７の撮像画像から顔が検出された場合には、疲労度測定部１３にその旨の情報が送信され、ステップＳ１０３に戻り、疲労度測定部１３による疲労度測定処理が再び行われる。
【００３２】
ステップＳ１０９において顔が検出されない場合には、操作検知部１１により、直前の所定時間内でユーザが通信端末１のキーを押下したか否かが、再度確認される（Ｓ１１０）。キー押下が確認された場合には、ユーザが端末操作をまだ行っていると判断して、ステップＳ１０９に戻り、顔検出部１２による顔検出処理が再び行われる。
【００３３】
ステップＳ１１０においてキー押下が確認されなかった場合には、操作検知部１１により通信端末１が折畳まれ閉じられたことが検出されると、表示制御部１５により、端末操作が終了したと判断され（Ｓ１１１）、現在の表示画面の設定情報がリセットされ（Ｓ１１２）、表示画面の設定がデフォルト状態に戻されて処理を終了する。
【００３４】
以上に説明したように、本実施形態に係る通信端末１及び画面表示制御方法によれば、ユーザの目の疲労度に基づき判定される表示レベルに応じた設定情報が更新され、この更新された設定情報を用いて当該通信端末のディスプレイの表示画面が更新されるため、目の疲労というユーザの内部状態の変動に対応して適切に表示画面を変更すること可能となり、この結果、ユーザにとって見やすい表示画面を設定できる画面表示制御を行うことが可能となる。
【００３５】
また、設定情報データベース１６に保持される表示画面の設定情報には、フォントサイズ、フォント太さ、背景コントラスト、及び輝度が含まれるため、目の疲労度に応じた表示画面の構成変更の自由度を向上させることができ、より一層ユーザにとって見やすい表示画面を提供することができる。
【００３６】
また、疲労度測定部１３により測定される目の疲労度が、ユーザの目の瞬き回数である。目の瞬き回数と疲労度との間には相関関係があるため、この構成により目の疲労度を精度良く推定することができる。
【００３７】
以上、本発明に係る通信端末１及び画面表示制御方法について好適な実施形態を挙げて説明したが、本発明は上記実施形態に限られるものではない。例えば、上記実施形態では、表示制御部１５が制御可能な表示画面の設定情報としてフォントサイズ、フォント太さ、背景コントラスト、及び輝度を例示したが、これらの少なくとも１つを含むように構成してもよいし、これ以外の情報を含むよう構成してもよい。
【符号の説明】
【００３８】
１…通信端末、１３…疲労度測定部（疲労度測定手段）、１４…表示レベル判定部（表示レベル判定手段）、１５…表示制御部（表示制御手段）、１１５…ディスプレイ。
【図１】
2010237392.tif 000003
【図２】
2010237392.tif 000004
【図３】
2010237392.tif 000005
【図４】
2010237392.tif 000006